(57)【要約】      （修正有）【課題】ライト管設置の便利性及び適用性を高めるライト管のソケット構造を提供する。【解決手段】ライト管のソケット１０は、予定の長さを備えたソケット基台１１を主体とし、ソケット基台の両側には二枚の円弧形延長板１２を設置する。各円弧形延長板の底縁には内向きに突出した凸唇１３を相対して設置し、更に該ソケット基台の中央筋部上には相互垂直に配置した第一、第二槽孔１４，１５を設置する。第一、第二槽孔にネジを差し込み、ネジでソケット全体を天井もしくは壁面等設置主体上に固定しやすくする。更に、凸唇をライト管の両側の溝槽に嵌合する方式でライト管を押し入れて定位し、ライト管を天井もしくは壁面等設置主体上に固定する。もしくは円盤で將ソケットに装着したライト管を天井もしくは壁面等設置主体上に固定し、ライト管の角度を調整しやすくする。【選択図】図１
0003164985.tif 000002
【実用新案登録請求の範囲】
【請求項１】
予定の長さを備えたソケット基台を主体とするライト管のソケット構造において、
該ソケット基台の両側には二枚の円弧形延長板を設置し、各円弧形延長板の底縁には少なくとも一対の内向きに突出した凸唇が相対して設置され、更に該ソケット基台の中央筋部には第一槽孔及び第二槽孔が設置されることを特徴とするライト管のソケット構造。
【請求項２】
前記第一槽孔及び第二槽孔は、相互垂直に配置することを特徴とする請求項１記載のライト管のソケット構造。
【請求項３】
前記ソケットの二枚の円弧形延長板根部は、該ソケット基台の中央筋部の間に段差を備えることを特徴とする請求項１記載のライト管のソケット構造。
【請求項４】
前記ライト管のソケット構造は、更に円盤を設置し、該円盤は、盤面に少なくともソケット第一、第二槽孔と相互に対応する第三槽孔、第四槽孔，及び第五槽孔、第六槽孔を設置し、該第三槽孔及び該第四槽孔は同じ第一中心線上に位置し、該第五槽孔及び該第六槽孔は同じ第二中心線上に位置することを特徴とする請求項１記載のライト管のソケット構造。
【請求項５】
前記第三槽孔、第四槽孔は、相互に垂直配置し、該第五槽孔、第六槽孔は相互に垂直配置することを特徴とする請求項４記載のライト管のソケット構造。
【考案の詳細な説明】
【技術分野】
【０００１】
本考案は、ライト管のソケット構造に関するもので、特にライト管設置の便利性及び適用性を高めるソケット構造に係わる。
【背景技術】
【０００２】
現在、一般の室内の照明光源は、主に直射式の照明器具を使用する。例として、蛍光灯を天井に設置し、蛍光灯が発する光源を直接下に向けて照射する。社会の進歩と共に、照明器具の技術も進歩しており、加えて世界エネルギーの議題は日々高まり、更に各国政府では将来的に徐々に電球の使用を禁止する方向で進んでおり、発光ダイオード(LED)は、その高効率及び省エネ性、光調節性からも優れているため、街灯、カーライト、戸外照明、ムード照明等で応用され、既に世界的に注目を集めている。
【０００３】
一般で選択される発光ダイオードは、発光部品のライト管状照明器具で、主に、ライト管に発光部品を取り付け、該ライト管を天井もしくは壁面等設置主体に取り付ける。類似の公知照明器具はおよそ、ネジ固定方式であり、直接照明台を設置主体に固定するが、このような固定方式は取り付けの面倒を簡素化擦る必要があると思われる。
【考案の概要】
【考案が解決しようとする課題】
【０００４】
解決しようとする問題点は、後日、照明器具の修理、交換にはネジを完全に外す必要がある。特に、何度も着脱した後では、該設置主体上のネジ孔構造は、弱くなり、元の支持力はなくなるため、照明器具落下の危険もある点である。
【課題を解決するための手段】
【０００５】
本考案は、予定の長さを備えたソケット基台を主体とし、ソケット基台の両側には二枚の円弧形延長板を設置する。各円弧形延長板の底縁には内向きに突出した凸唇を相対して設置し、更に該ソケット基台の中央筋部上には相互垂直に配置した第一、第二槽孔を設置する。第一、第二槽孔にネジを差し込み、ネジでソケット全体を天井もしくは壁面等設置主体上に固定しやすくする。更に、凸唇をライト管の両側の溝槽に嵌合する方式でライト管を押し入れて定位し、ライト管を天井もしくは壁面等設置主体上に固定する。もしくは円盤で將ソケットに装着したライト管を天井もしくは壁面等設置主体上に固定し、ライト管の角度を調整しやすくすることを最も主要な特徴とする。
【考案の効果】
【０００６】
本考案のライト管のソケット構造は、ライト管設置の便利性及び適用性を高めるという利点がある。
【図面の簡単な説明】
【０００７】
【図１】本考案のソケットの外観立体図である。
【図２】本考案のソケットとライト管の組立外観図である。
【図３】本考案のソケットとライト管の設置断面図である。
【図４】本考案の円盤の外観立体図である。
【図５】本考案の円盤、ソケットとライト管の組立外観図である。
【図６】本考案の円盤、ソケットとライト管の設置断面図である。
【考案を実施するための形態】
【０００８】
使用者がライト管の関連メンテナンス、交換作業をするのに便利なソケット構造を提供することを本考案の主な目的とする。
【０００９】
上述の目的のため、本考案のソケットは、予定の長さを備えたソケット基台を主体とし、ソケット基台の両側に二枚の円弧形延長板を設置し、各円弧形延長板の底縁には内向きに突出した凸唇を相対して設置する。更に該ソケット基台の中央筋部には相互垂直に配置した第一、第二槽孔を設置する。第一、第二槽孔にネジを差し込み、ネジでソケット全体を天井もしくは壁面等設置主体上に固定する。また凸唇をライト管両側の溝槽に嵌合する方式で、ライト管を押し入れて定位し、ライト管を固定在天井もしくは壁面等設置主体上に固定する目的を達成する。
【００１０】
更に、本考案の円盤は、その盤面上に少なくとも第一、第二槽孔と相対して合わせる第三、第四槽孔、及び第五、第六槽孔を設置する。そのうち、第三、第四槽孔は、同じく第一中心線上に相互に垂直配置し、第五、第六槽孔は同じく第二中心線上に相互に垂直配置し、且つ、該第一、第二中心線は相互に垂直を形成する。第三、第四槽孔(もしくは第五、第六槽孔)を選択し、円盤を天井もしくは壁面等設置主体上に固定し、次に第五、第六槽孔(もしくは第三、第四槽孔)でソケットを円盤下方に固定し、ライト管設置角度を調整する目的を達成する。
【実施例】
【００１１】
本考案のライト管のソケット構造は、ライト管設置の便利性及び適用性を高めるソケット構造を提供する。図１に示すとおり、本考案のソケット１０は、予め定めた長度のソケット基台１１を主体とする。該ソケット基台１１両側には、二枚の円弧形延長板１２を設置し、各円弧形延長板１２の底縁には少なくとも一対の内向きに突出した凸唇１３を相対して設置し、及び該ソケット基台１１の基台上には相互に垂直に配置した第一槽孔１４及び第二槽孔１５を設置する。
【００１２】
図２及び図３に示すとおり、本考案のソケット１０は使用する時、第一、第二槽孔１４、１５にネジ３０を差し込み、ネジ３０でソケット全体１０を天井もしくは壁面等設置主体４０上に固定する。続いて凸唇１３をライト管５０両側溝槽５１に嵌合する方式でライト管５０を入れて定位し、ライト管５０を天井もしくは壁面等設置主体４０上に固定する目的を達成する。
【００１３】
更に、該ソケット１０の二枚の円弧形延長板１２の接続部とソケット基台１１の中央筋部の間には段差を備えてソケット基台１１の中央筋部とライト管５０の間に放熱通道１６を形成し、更に図１に示すとおり、該ソケット基台１１の中央筋部には少なくとも一放熱窓１７を設置してライト管５０の熱を発散させる効果を高める。
【００１４】
図４から図６に示すとおり、本考案の円盤２０の盤面上には少なくともソケット１０第一、第二槽孔１４、１５と相互に対応する第三槽孔２１、第四槽孔２２，及び第五槽孔２３、第六槽孔２４を穿設する。そのうち、該第三槽孔２１及び該第四槽孔２２は、同じ第一中心線上に位置して相互に垂直配置する、該第五槽孔２３及び該第六槽孔２４は、同じ第二中心線上位置して相互に垂直配置し、且つ該第一、第二中心線は相互垂直である。
【００１５】
第三、第四槽孔２１、２２(もしくは第五、第六槽孔２３、２４)で円盤２０を天井もしくは壁面等設置主体４０上に固定する。更に、第五、第六槽孔２３、２４(もしくは第三、第四槽孔２１、２２)でソケット１０を円盤２０下方に固定し、ライト管設置角度を調整しやすくする目的を達成する。
【００１６】
上述のとおり、本考案は実施可能なライト管のソケット及び円盤構造を提供し、実用新案登録を申請する。本考案の技術内容及び技術的特徴は上述に示すとおりであるが、本領域に習熟した者が、本考案の提示に基づく本考案の精神から乖離しない各種の入替や修飾を行うかもしれない。拠って、本考案の保護範囲は、実施例に制限されず、また本考案から乖離しない各種の入替及び修飾を含み、以下の請求項に含まれる。
【符号の説明】
【００１７】
１０        ソケット
１１        ソケット基台
１２        円弧形延長板
１３        凸唇
１４        第一槽孔
１５        第二槽孔
１６        放熱通道
１７        放熱窓
２０        円盤
２１        第三槽孔
２２        第四槽孔
２３        第五槽孔
２４        第六槽孔
３０        ネジ
４０        設置主体
５０        ライト管
５１        溝槽
【図１】
0003164985.tif 000003
【図２】
0003164985.tif 000004
【図３】
0003164985.tif 000005
【図４】
0003164985.tif 000006
【図５】
0003164985.tif 000007
【図６】
0003164985.tif 000008